(57)【要約】【課題】構造簡素にして、折り畳んだ際にはコンパクトにして保管および持ち運びを容易にし、また、拡開した際には用便が行なえるとともに、非用便時には椅子、あるいは台として活用できる折畳み式簡易便座を得る。【解決手段】前後に長い長方形状の座板（２）の中心部に前後に長い便孔（３）を貫通形成し、該便孔（３）に着脱可能に嵌合する蓋（４）を設けるとともに、該蓋（４）を前記便孔（３）の前縁部に上方に向けて回動可能に連結し、前記座板（２）に脚（１０）を下方と座板（２）の下面とに向けて起倒可能に連結する。【選択図】図１
2005304796.tif 000002
【特許請求の範囲】
【請求項１】
前後に長い長方形状の座板（２）の中心部に前後に長い便孔（３）を貫通形成し、該便孔（３）に着脱可能に嵌合する蓋（４）を設けるとともに、該蓋（４）を前記便孔（３）の前縁部に上方に向けて回動可能に連結し、前記座板（２）に脚（１０）を下方と座板（２）の下面とに向けて起倒可能に連結したことを特徴とする折畳み式簡易便座。
【請求項２】
脚（１０）は、座板（２）の下面外周部に略対応する長方形状またはＵ形状の第１脚枠（１１）と、該第１脚枠（１１）の内周に接近して嵌合可能な長方形状またはＵ形状の第２脚枠（１２）とをＸ形に交叉させて互いに回動可能に連結してなり、前記第１脚枠（１１）の前後方向一端部を座板（２）の前後方向一端部に回動可能に連結し、座板（２）の下面に、前記第２脚枠（３２）の前後方向他端部と係合して前記脚（１０）の開き角度を設定値に保持する係止具（７）を設けたことを特徴とする請求項１記載の折畳み式簡易便座。
【発明の詳細な説明】
【技術分野】
【０００１】
本発明は、ドライブ先、釣り場等、便所が存在しない野外、あるいは便所が使用できなくなった災害地等において、排尿、排便等（以下用便という）が容易に行なえるようにした折畳み式簡易便座に関するものである。
【背景技術】
【０００２】
折畳み式椅子の座部に取り付け穴を形成し、該取り付け穴にバケツ状の便槽を着脱可能に嵌合支持し、座部の上面に用便穴がくり抜かれた座面用基板を載置するとともに、該座面用基板を背部とは反対側にある座部の端部に上方に向けて揺動自在に連結し、上記座面用基板の上面に前記用便穴を覆うように座面用クッションを着脱自在に設けてなるポータブルトイレがあった。
【０００３】
このものは、ベッドサイド、寝床、寝室等でトイレとして手軽に使用でき、また、不使用時には椅子として活用できる。しかしながら、上記従来のものは、部品点数が増大して嵩張るため、自動車あるいは手荷物等に収容して手軽に携行することができないものであった。また、構造が複雑になって高価になるものであった。
【特許文献１】特許第３４６５２２９号公報
【発明の開示】
【発明が解決しようとする課題】
【０００４】
本発明は、不使用時には面状に折り畳んで保管スペースを小さくするとともに、持ち運びを容易にし、また、拡開した際には用便が容易に行なえるとともに、非用便時には椅子、あるいは台として活用できる新規な折畳み式簡易便座を得ることを目的とする。
【課題を解決するための手段】
【０００５】
本発明は、上記目的を達成するために以下の如く構成したものである。即ち、請求項１に係る発明は、前後に長い長方形状の座板の中心部に前後に長い便孔を貫通形成し、該便孔に着脱可能に嵌合する蓋を設けるとともに、該蓋を前記便孔の前縁部に上方に向けて回動可能に連結し、前記座板に脚を下方と座板の下面とに向けて起倒可能に連結する構成にしたものである。
請求項２に係る発明は、前記脚を、座板の下面外周部に略対応する長方形状またはＵ形状の第１脚枠と、該第１脚枠の内周に接近して嵌合可能な長方形状またはＵ形状の第２脚枠とをＸ形に交叉させて互いに回動可能に連結するようにし、前記第１脚枠の前後方向一端部を座板の前後方向一端部に回動可能に連結し、座板の下面に、前記第２脚枠の前後方向他端部と係合して前記脚の開き角度を設定値に保持する係止具を設ける構成にしたものである。
【発明の効果】
【０００６】
本発明の請求項１に係る発明は、脚を下方に回動させて設置すると、座板が地面から所定量上方に持ち上げられて支持される。次いで蓋を上方に回動させて便孔を開き、該便孔にフランジ付き容器状の便受けを嵌合させて係止すると、簡易形の便器となり、使用者は開いた蓋側に向かって上記座板に腰かけて用便することができる。このとき、上記開いた蓋が使用者の前部側の股間部を外部から遮蔽することになる。用便した後は上記便受けを便孔から取り出して予め用意したビニール袋等の汚物袋に入れる。
【０００７】
、
また、非用便時に蓋を閉じた状態で脚を開くと、上記座板は孔のない平板な板状となり、該座板の上に腰を降ろして椅子として活用したり、あるいは座板の上に吊り具等の小物を置く台として活用したりすることができる。また、脚を折り畳むとともに蓋を閉じると、全体が面状（板状）となり、携帯あるいは格納が容易となる。また、座板及び蓋は一枚の板材で作製できるので、安価に得ることができる。
請求項２に係る発明は、第１脚枠と第２脚枠とを交叉状に回動（拡開）させ、第２脚枠の前後方向他端部を座板の下面に設けた係止具に係止すると、上記第１脚枠及び第２脚枠によって座板が地面から所定量上方に持ち上げられて支持されることになる。これにより、前述と同様に、使用者は上記座板に腰かけて用便したり、非用便時には蓋を閉じて椅子、あるいは小物を置く台として活用することができる。
【０００８】
また、上記第１脚枠と第２脚枠とを同一線状に回動させて座板の下面に重ねると、全体が面状になるとともに、第２脚枠の内周部に空間部が発生し、この空間部に折畳んだ便受け等の小物を収容することができる。
【発明を実施するための最良の形態】
【０００９】
以下本発明の実施例を図面に基づいて説明する。図において、図１は本発明の第１実施例を示す拡開した状態の側面断面図、図２は使用状態を示す斜視図、図３は折り畳んだ状態の側面断面図、図４は図３の底面図、図５は拡開した便受けの斜視図、図６は便受けの折畳み状態を示す斜視図、図７は本発明の第２実施例を示す拡開した状態の側面断面図、図８は本発明の第２実施例を示す折り畳んだ状態の底面図、図９は本発明の第３実施例を示す拡開した状態の側面図、図１０は本発明の第４実施例を示す使用状態の斜視図である。
【００１０】
図１、図２において、１は折畳式簡易便座であり、座板２、蓋４、脚１０を主要部品として構成される。上記座板２は厚さ約１２ｍｍの木製板により、前後幅（図１において左右幅）が約４００ｍｍ、左右幅が約３００ｍｍとなる長方形状に形成し、中心部に前後幅が約２６ｍｍ、左右幅が約１３ｍｍとなる便孔３を貫通形成してなる。
【００１１】
上記便孔３に座板２と同資材からなる蓋４を密接に嵌合させ、その前端部（図１において右端部）を蝶番５により便孔３の前縁部に回動可能に連結する。該蝶番５は上記蓋４の前部上面と便孔３の前縁部上面とに取り付け、該蝶番５により、上記蓋４を便孔３の嵌合位置から上方に向けて回動可能に連結するとともに、該蓋４の上方への回動角度Ａは約１１０度とする。４ａは蓋４の回動端部（後縁部）に形成した操作孔であり、使用者はこの操作孔４ａに指を掛けて蓋４を開ける。
【００１２】
上記便孔３の左右縁部の下面にストッパー６，６を固定し、該ストッパー６，６により閉じた蓋４の下方への過回動を阻止する。また、上記座板２後部下面に前後一対からなる係止具７を固定し、該係止具７により後述する第２脚枠１２の後部辺１２ｂを嵌合係止する。
【００１３】
上記座板３の下面に脚１０を回動可能に取り付ける。該脚１０は、パイプ材を長方形状に屈曲させて形成した第１脚枠１１と第２脚枠１２とをＸ状に交叉させて回動可能に連結してなる。即ち、図３、図４に示すように、第１脚枠１１は、その左右幅Ｗ１が座板３の左右幅と略等しく、その前後幅Ｌ１が座板３の前後幅よりも若干大きくなる長方形状とし、該第１脚枠１１の前部辺１１ａを座板３の前縁３ａ側の下面に位置させ、該前部辺１１ａをＵ形金具からなる取付具１３により座板３の前部に回動可能に連結する。また、第２脚枠１２は、上記第１脚枠１１の内周に接近して嵌合する長方形状とし、該第２脚枠１２の左右辺１２ｃ，１２ｄの前後方向中心部と上記第１脚枠１１の左右辺１１ｃ，１１ｄの前後方向中心部とを、連結ピンＰ１，Ｐ１により回動可能に連結する。
【００１４】
前述した座板２の後部側下面に固定した係止具７は、図１に示すように、脚１０を下方に向けて回動、つまり開いた際に、第２脚枠１２の後部辺１２ｂが嵌合係止する位置に設定し、これにより、脚１０の開き角度を設定位置で保持し、第１脚枠１１の後部辺１１ｂと第２脚枠１２の前部辺１２ａとを設置させて座板２を水平にした状態で所定の高さに保持する。なお、第１脚枠１１及び第２脚枠１２は、前部辺または後部辺のうち、何れか一方を除去したＵ形状としてもよい。
【００１５】
前述した便孔３には、折畳み可能な便受け１５が着脱可能に嵌合支持されるようになっており、該便受け１５は図５、図６に示すようになっている。即ち、便孔３の開口面積に略対応する前後方向に長い箱形の容器主体１６の上縁部に、外方に屈曲するフランジ部１６を一体に形成するとともに、上記容器主体１６の前後辺１６ａ、底辺１６ｂの左右中心部、およびフランジ部１７の前後辺１７ａの左右中心部に主体折れ線Ｂを形成し、フランジ部１７の各コーナー部にフランジ折れ線Ｃを形成する。
【００１６】
これにより、容器主体１６の前後辺１６ａ、底辺１６ｂ、およびフランジ部１６の前後辺１７ａを上記主体折れ線Ｂを中心として、また、フランジ部１６の各連結基部および各コーナー部のフランジ折れ線Ｃを中心として折ることによって、図６に示すように上記便受け１５を細長い面状に折畳む。該折り畳んだ便受け１５は、脚１０を折り畳んだ際に第２脚枠１２の内周部に発生する空間部（ア）（図４）に収容する。本例では、上記便受け１５は薄いプラスチックシートを真空成形して形成される。なお、該便受け１５は紙、綿等の樹木繊維材により形成するようにしてもよい。
【００１７】
そして、使用者Ｍが用便する際には、図１、図２に示すように、脚１０をＸ形に拡開させるとともに、第２脚枠１２の後部辺１２ｂを座板２の係止具７に嵌合係止して座板２を水平にした状態で所定の高さに保持した後、蓋４を上方に回動させて便孔３を開く。次いで便受け１５を図２に示すように箱状に拡開させ、その容器主体１６を上記便孔３に嵌合させるとともに、そのフランジ部１７を便孔３の周縁部上面に係止する。さすれば、上記座板２が簡易形の便器となる。
【００１８】
これにより、使用者Ｍは、図１に示すように、開いた蓋４側に向いて上記座板２に跨がり（腰かけ）、用便することができる。このとき、上記開いた蓋４が使用者Ｍの前部側の股間部を外部から遮蔽することになる。この場合、上記容器主体１６に脱臭剤、給水ポリマー等を施すか、あるいは容器主体１６内に脱臭剤、給水ポリマーを収容するようにすれば、排尿、排便の臭いを消したり、外部への漏洩を防止したりすることができ、環境・衛生面で好ましい。なお、使用者Ｍは、用便する際に布あるいは毛布等で下半身を包囲するとよい。上記用便が終了した後、上記便受け１５を便孔３から取り出して予め用意したビニール袋等の汚物袋に入れる。
【００１９】
また、非用便時において、蓋４を閉じた状態で脚１０を開くと、上記座板２は孔のない平板な板状となり、該座板２の上に腰を降ろして椅子として活用したり、あるいは座板２の上に吊り具等の小物を置いく台として活用したりすることができる。また、脚１０を折り畳むとともに蓋４を閉じると、全体が面状（板状）となり、自動車のトランク、あるいはリュックサック等の手荷物袋（ケース）内にコンパクトに収容することができ、手軽に携行することができる。
【００２０】
図７、図８は第２実施例を示す。図７、図８において、２０は折畳式簡易便座であり、座板２１、蓋２３、脚３０を主要部品として構成される。上記座板２１及び蓋２３は前述したものと略同様の構造となっており、座板２１の中心部には前後方向に長い便孔２２が形成され、蓋２３は上記便孔２２に密接に嵌合してこれを閉塞するとともに、前部側で蝶番２４により便孔２２の嵌合位置から上方に向けて回動可能に連結されている。また、該蓋２３の上方への回動角度は前述と同様に約１１０度となっており、該蓋２３の後部側にはこれを開閉するための操作孔２３ａが形成されている。
【００２１】
上記座板２１の下面に脚３０を回動可能に取り付ける。該脚３０は、パイプ材を長方形状に屈曲させて形成した第１脚枠３１と、パイプ材をＵ形に屈曲させて形成した第２脚枠３２とをＸ状に交叉させて回動可能に連結してなる。即ち、図８に示すように、第１脚枠３１は、その左右幅及び前後幅が座板２１の左右幅及び前後幅と略等しくなる長方形状とし、該第１脚枠３１を座板２１の下面に同心状に位置させ、該第１脚枠３１の後辺３１ｂをＵ形金具からなる取付具３３により座板２１の後部下面に回動可能に連結する。
【００２２】
また、第２脚枠３２は、上記第１脚枠３１の内周に接近して嵌合するＵ形にしてその開放端側を前部（図８において右部）側に位置させ、該第２脚枠３２の左右辺３２ｃ，３２ｄの前後方向中心部と上記第１脚枠３１の左右辺３１ｃ，３１ｄの前後方向中心部とを、連結ピンＰ１，Ｐ１により回動可能に連結する。
【００２３】
上記第２脚枠３２の左右辺３２ｃ，３２ｄの前端部に互いに対面方向に突出する一対の係止ピン３４，３４を固定し、上記座板２１の前部側の左右下面に上記各係止ピン３４，３４が係脱可能な一対の係止具３５，３５を固定する。該各係止具３５，３５は、板金材をＬ形に屈曲させ、これらを背中合せに対面させて座板２１の前部側の左右下面にビス止め固定するとともに、その起立片３５ａ，３５ａを第２脚枠３２の左右辺３２ｃ，３２ｄの直内側に位置させ、各起立片３５ａ，３５ａの前後２箇所に上記係止ピン３４，３４が下方から嵌合係止する係止凹部３６ａ，３６ｂを前後に所定の間隔をおいて形成する。
【００２４】
そして、図７に示すように、脚３０を下方に向けて回動、つまり開き、上記係止ピン３４を前部側の係止凹部３６ａに係合させると、脚３０が小の開き角度に保持され、また、上記係止ピン３４を後部側の係止凹部３６ｂに係合させると、脚３０が大の開き角度に保持され、これにより、座板２１の高さを調節することができる。また、上記脚３０を折り畳んだ際には、図８に示すように、座板２１からはみ出ることなく、該下面に重なり、折り畳んだ際の体積がより小さくなる。その他は前述した第１実施例と略同様の構造となっている。
【００２５】
図９は第３実施例を示す。このものは、前述した座板２（２１）の４隅部の下面に４個の脚４０をそれぞれ前後の対面方向に起倒可能に取り付けたものである。その他は前述した第１実施例と略同様の構造となっている。このものは、各脚４０を個々に開閉操作する必要があるため、これの操作が若干煩雑になるが、閉じた（折り畳んだ）際には、第２実施例と同様に、座板２からはみ出ることなく、該下面に重なることになり、畳んだ際の体積をより小さくすることができる。
【００２６】
図１０は第４実施例を示す。このものは、前述した座板２（２１）の後部に左右一対の第１凹部４０ａ、第２凹部４０ｂを形成し、各第１、第２凹部４０により、座板２の後部の左右中心部に第１係止辺２ａを、該第１係止辺２ａの左右にそれぞれ第２係止辺２ｂ，２ｂを形成したものである。このようにすれば、日用品を買った際に提供されるビニール製、あるいはポリエチレン製の手提げ袋１５−１を、用便時に便受として活用することができる。
【００２７】
即ち、図１０に示すように、手提げ袋１５−１の上部の前後に形成された環状の把手部１５ｂ，１５ｂを、例えば第２係止辺２ｂ，２ｂの外側に位置する第２凹部４０ｂと、開いた蓋４の基部とに掛け、この状態で袋本体部１５ａを便孔３に上方から嵌合させるとともに、上記手提げ袋１５−１の上部の左右に形成した舌片状の結び辺１５ｃ，１５ｃを便孔３の左右上面に沿って拡げる。さすれば、結び辺１５ｃ，１５ｃが使用者Ｍの臀部に押圧固定されて、上記袋本体部１５ａの拡開状態が保持され、便あるいは尿を円滑に受けることができる。なお、手提げ袋１５−１、またはその把手部１５ｂ，１５ｂが小さい場合は、該把手部１５ｂ，１５ｂを左右中心側の第１係止辺２ａに掛けるようにする。その他は前述した第１実施例〜第３実施例と略同様の構造となっている。
【図面の簡単な説明】
【００２８】
【図１】本発明の第１実施例を示す拡開した状態の側面断面図である。
【図２】使用状態を示す斜視図である。
【図３】折り畳んだ状態の側面断面図である。
【図４】図３の底面図である。
【図５】拡開した便受けの斜視図である。
【図６】便受けの折畳み状態を示す斜視図である。
【図７】本発明の第２実施例を示す拡開した状態の側面断面図である。
【図８】本発明の第２実施例を示す折り畳んだ状態の底面図である。
【図９】本発明の第３実施例を示す拡開した状態の側面図である。
【図１０】本発明の第４実施例を示す使用状態の斜視図である。
【符号の説明】
【００２９】
１（２０）    折畳式簡易便座
２（２１）    座板
２ａ    第１係止辺
２ｂ    第２係止辺
３（２２）    便孔
４（２３）    蓋
４ａ（２３ａ）  操作孔
５（２４）    蝶番
６    ストッパー
７    係止具
１０（３０，４０）    脚
１１（３１）    第１脚枠
１１ａ（３１ａ）  前部辺
１１ｂ（３１ｂ）  後部辺
１１ｃ、１１ｄ（３１ｃ，３１ｄ）    左右辺
１２（３２）    第２脚枠
１２ａ  前部辺
１２ｂ  後部辺
１２ｃ、１２ｄ（３２ｃ，３２ｄ）    左右辺
１３（３３）    取付具
１５    便受け
１５−１    手提げ袋（便受け）
１５ａ  袋本体部
１５ｂ  把手部
１５ｃ  結び辺
１６    容器主体
１６ａ  前後辺
１６ｂ  底辺
１７    フランジ部
１７ａ  前後辺
３５    係止ピン
３５    係止具
３５ａ  起立辺
３６ａ，３６ｂ  係止凹部
４０ａ  第１凹部
４０ｂ  第２凹部
Ａ      開き角度
Ｂ      主体折れ線
Ｃ      フランジ折れ線
Ｗ１    左右幅
Ｌ１    前後幅
Ｍ      使用者
Ｐ１    連結ピン
【図１】
2005304796.tif 000003
【図２】
2005304796.tif 000004
【図３】
2005304796.tif 000005
【図４】
2005304796.tif 000006
【図５】
2005304796.tif 000007
【図６】
2005304796.tif 000008
【図７】
2005304796.tif 000009
【図８】
2005304796.tif 000010
【図９】
2005304796.tif 000011
【図１０】
2005304796.tif 000012